(57)【要約】【課題】音声記録可能な装置において操作性の向上と、装置の状態を音声にて操作者へ通知する手段をリモコンに設けた場合、不要な音声の記録を防止することを目的とする。【解決手段】複数の動作状態に遷移することが可能な第一の装置と、前記第一の装置を遠隔地から操作するための遠隔操作器と、前記第一の装置と前記遠隔操作器がニ重通信を行う第一の通信手段と、を有するシステムにおいて、遠隔操作器に、音声発生手段、振動発生手段、表示手段、第二の装置と通信するための第二の通信手段、等からなる外部通知手段を設け、前期第一の通信手段で前記第一の装置が動作状態等を前記遠隔操作器へ通知し、遠隔操作器が該通知された動作状態等に応じて、前記外部通知手段を選択することを特徴とした遠隔操作システム。【選択図】　　　　図１
2004080559.tif 000002
【特許請求の範囲】
【請求項１】
複数の動作状態に遷移することが可能な第一の装置と、
前記第一の装置を遠隔地から操作するための遠隔操作器と、
前記第一の装置と前記遠隔操作器が二重通信を行う第一の通信手段と、
を有するシステムにおいて、
遠隔操作器に、音声発生手段、振動発生手段、表示手段、第二の装置と通信するための第二の通信手段、等からなる外部通知手段を設け、
前記第一の通信手段で前記第一の装置が動作状態等を前記遠隔操作器へ通知し、遠隔操作器が該通知された動作状態等に応じて、前記外部通知手段を選択することを特徴とした遠隔操作システム。
【請求項２】
音声の記録を行う音声記録手段を有する記録装置と、
前記記録装置を遠隔地から操作するための遠隔操作器と、
前記記録装置と前記遠隔操作器が二重通信を行う通信手段と、
を有する遠隔操作システムにおいて、
遠隔操作器に、スピーカ等の音声発生手段を設け、
前記通信手段で前記記録装置が動作状態等を前記遠隔操作器へ通知し、遠隔操作器が該通知された動作状態等に応じて、前記音声発生手段の音量を調節する通知音量制御手段を有することを特徴とした遠隔操作システム。
【請求項３】
請求項２記載の遠隔操作システムにおいて、
前記記録装置が音声記録中の場合、前記音声発生手段を停止することを特徴とした遠隔操作システム。
【請求項４】
請求項３記載の遠隔操作システムにおいて、
前記遠隔操作器にバイブレータなどの振動発生手段を設け、
前記記録装置が音声記録中の場合以外は、前記振動発生手段を停止することを特徴とした遠隔操作システム。
【請求項５】
請求項２記載の遠隔操作システムにおいて、
前記記録装置が記録中の音量が所定の音量より小さい場合、前記音声発生手段を停止することを特徴とした遠隔操作システム。
【請求項６】
請求項５記載の遠隔操作システムにおいて、
前記遠隔操作器にバイブレータなどの振動発生手段を設け、
前記記録装置が記録中の音量が所定の音量より大きい場合、前記振動発生手段を停止することを特徴とした遠隔操作システム。
【発明の詳細な説明】
【０００１】
【発明の属する技術分野】
本発明は、遠隔地からリモコンで操作することが可能な音声記録装置について、特に、動画や静止画などの音声付画像または音声なし画像を記録することが可能なデジタルカメラ、あるいはカメラ一体型ＶＴＲ（ビデオカメラ）等の記録装置に関するものである。
【０００２】
【従来の技術】
撮影装置を操作し、その実行状態を操作者へ通知するための通知手段として、撮影装置本体に設けられた液晶モニタやＬＥＤランプなどの表示手段、メッセージ音を発生するための音声発生手段のほか、遠隔地からの操作においては、リモコンに設けられた表示手段、音声発生手段、また、バイブレータなどの振動発生手段がある。
【０００３】
ビデオカメラやや動画が撮影可能なデジタルカメラ、またはテープレコーダに至るまで、音声を記録可能な記録装置においては、音声記録中は不要な音の録音を避けるため、撮影機本体の音声通知手段は使用しないのが通例であり、リモコンの通知手段としても音声通知手段は不適切であった。
【０００４】
音を出すことなく通知することができる通知手段として、ＬＥＤやＬＣＤ等の表示手段に加え、携帯電話のバイブレータに代表されるように、振動による通知手段が広く用いられている。
【０００５】
【発明が解決しようとする課題】
操作者が撮影装置本体から遠く離れて操作する場合、本体の表示装置やスピーカの操作音などでは状態を認識しづらいという問題がある。そのため、リモコンに通知手段を設けたい。また、操作者自身を撮影対象とする特に動画撮影において、撮影者がリモコンに設けた表示装置で確認していたのでは、視線がカメラに向かないため不自然な撮影となってしまう欠点がある。以上の点を考慮すると、リモコンに設ける通知手段としては、音による通知手段や振動による通知手段が考えられる。
【０００６】
しかし、音による通知手段を設けた場合、音声を記録する撮影においては撮影装置に近づいて操作した場合、リモコンの音が記録されてしまうという欠点があった。一方、振動のみの通知手段を用いた場合、音に比べ通知できる情報量が少ないという欠点があった。特に、ビデオカメラが代表するように、近年の電子撮影機器においては多機能で様々な操作が可能である。そのため、装置の情報は多岐にわたり、振動のみを用いた通知手段には限界がある。
【０００７】
本発明によれば、撮影の状態に応じてリモコンに設けた通知手段を自動的に切り替えることで、不要な音声が記録されず、撮影相違の状態が操作者へ通知でき、操作性の優れた記録装置の遠隔操作システムを提供することができる。
【０００８】
【課題を解決するための手段】
上記の問題を解決するため本発明は、
複数の動作状態に遷移することが可能な第一の装置と、
前記第一の装置を遠隔地から操作するための遠隔操作器と、
前記第一の装置と前記遠隔操作器が二重通信を行う第一の通信手段と、
を有するシステムにおいて、
遠隔操作器に、音声発生手段、振動発生手段、表示手段、第二の装置と通信するための第二の通信手段、等からなる外部通知手段を設け、
前記第一の通信手段で前記第一の装置が動作状態等を前記遠隔操作器へ通知し、遠隔操作器が該通知された動作状態等に応じて、前記外部通知手段を選択することを特徴とするものである。
【０００９】
【発明の実施の形態】
（第一の実施例）
本発明の第一の実施例を以下に説明する。
【００１０】
図１は記録装置およびリモコンを示すブロック図である。記録装置はカメラおよびマイクで音声付画像が記録可能なビデオカメラなどの撮影装置である。
【００１１】
１はリモコンを示し、リモコン内部は以下のユニットで構成されている。２は録画や各種設定を操作するための２　　操作ボタン、３は制御用の小型演算処理装置１（３　　ＭＰＵ１）、４は記録装置本体へ制御信号を赤外線で送信するための４　　送信ユニット１、５は記録装置から動作状態などの情報を受信するための５　　受信ユニット１、１０は３　　ＭＰＵ１のプログラムやリモコンコードを記憶した読み出し専用記憶装置１（１０　ＲＯＭ１）、６は６　　スピーカドライバ、６　　スピーカドライバへの電源供給は３０のスイッチにて制御可能である。７はリモコンの音声通知手段である７　　スピーカ、８はバイブレータ用の８　　モータドライバであり、８　　モータドライバへの電源供給は３１のスイッチで制御可能である。９はリモコンの振動通知手段である９　　バイブレータである。
【００１２】
１１は１１　撮影装置本体を示し、１１　撮影装置は以下のユニットで構成されている。１２は映像を撮影し電気信号へ変換する１２　カメラユニット、１５は音声を電気信号に変換する１５　マイクユニット、１６はマイクユニットのＯＮ／ＯＦＦを切り替える１６　マイクスイッチ、１３は１２　カメラユニットと１５　マイクユニットからの信号を所定の記録フォーマットへ変換する１３　画像処理回路、１７は１７　カードコントローラ、１８は画像保存用の記録媒体である１８　メモリカード、１４は１１　撮影装置を制御する小型演算処理装置２（１４　ＭＰＵ２）、２１はリモコンから送信された赤外線信号を受信するための２１　信ユニット２、２２は撮影装置の動作状態をリモコンへ通知するための信号を赤外線にて送信するための送信ユニット２、２３は１４　ＭＰＵ２のプログラムやリモコンコードを記憶した読み出し専用記憶装置２（ＲＯＭ２）である。
【００１３】
図２はリモコンに搭載されたＭＰＵ１の処理を示したフローチャートである。リモコン内のボタンが押される（Ｓ１０１）と、ＭＰＵ１はＲＯＭ１内の変換テーブルで制御コードに変換し（Ｓ１０２）、制御コードを４　　送信ユニット１から送信する（Ｓ１０３）。制御コード送信後、撮影装置から動作状態などのデータを受信する（Ｓ１０４）。受信したデータに応じて通知動作を行う（Ｓ１０６）。撮影装置からデータを一定期間受信しない場合は、タイムアウト（Ｓ１０５）としてエラー処理（Ｓ１０７）を行う。また、リモコン内のボタンが押されていない場合、撮影装置本体からの受信待ち状態（Ｓ１０８）である。撮影装置の減電警告など、リモコンからの指令に対する応答以外のデータをリモコンが受信した場合も、通知動作（Ｓ１０９）を行う。
【００１４】
図３は記録装置本体に搭載されたＭＰＵ２の処理を示したフローチャートである。リモコンからの制御信号を受信する（Ｓ２０１）とリモコンコードからＲＯＭ２内のテーブルからコマンドを検索し受信コードを解析（Ｓ２０２）する。次に、音声記録モードであるか判断する（Ｓ２０３）。音声記録モードの場合はＳ２０４へ分岐し、マイクスイッチをＯＮに、音声記録モード以外は、マイクスイッチをＯＦＦ（Ｓ２０５）にする。次にコマンドに応じた撮影動作を実行（Ｓ２０６）して実行状態の応答データをリモコンへ送信（Ｓ２０７）する。リモコンからの制御信号の受信が無い場合は、撮影装置内部の状態を監視（Ｓ２０８）し、状態に変化があった場合は、リモコンへ動作状態を送信（Ｓ２１０）する。
【００１５】
図４はリモコンに設けたの通知動作の詳細である。受信したデータは、コードを解析する（Ｓ３０１）。解析結果から、記録モードを判定（Ｓ３０２）して、音声記録中であるとＳ３０３へ分岐し、スピーカドライバの電源をＯＦＦ（Ｓ３０３）、モータドライバの電源をＯＮ（Ｓ３０４）、バイブレータで動作状態を通知する（Ｓ３０５）。記録モードを判定して、音声記録中で無ければ、スピーカドライバの電源をＯＮ（Ｓ３０６）にして、スピーカで音声にて動作を通知（Ｓ３０７）し、モータドライバの電源をＯＦＦ（Ｓ３０８）にする。
【００１６】
（第二の実施例）
本発明の第二の実施例を以下に説明する。
【００１７】
図５は記録装置およびリモコンを示すブロック図である。記録装置はカメラおよびマイクで音声付画像が記録可能なビデオカメラなどの撮影装置である。
【００１８】
本実施例において、図１で示した第一の実施例と同等の機能を有する構成部については、同一の記号を付し、その詳細な説明は省略する。１９はマイクの記録音量を検出する音量測定回路である。
【００１９】
図２はリモコンに搭載されたＭＰＵ１の処理を示したフローチャートである。詳細については、第一の実施例で説明したとおりである。
【００２０】
図６は記録装置本体に搭載されたＭＰＵ２の処理を示したフローチャートである。リモコンからの制御信号を受信する（Ｓ２０１）とリモコンコードからＲＯＭ２内のテーブルからコマンドを検索し受信コードを解析（Ｓ２０２）する。次に、音声記録モードであるか判断する（Ｓ２０３）。音声記録モードの場合はＳ２０４へ分岐し、マイクスイッチをＯＮにし、マイクで記録されている音量を測定する（Ｓ２１１）。音声記録モード以外は、マイクスイッチをＯＦＦ（Ｓ２０５）にする。次にコマンドに応じた撮影動作を実行（Ｓ２０６）して実行状態の応答データをリモコンへ送信（Ｓ２０７）する。
【００２１】
リモコンからの制御信号の受信が無い場合は、撮影装置内部の状態を監視（Ｓ２０８）し、状態に変化があった場合は、Ｓ２１２へ分岐し、音声記録モードの判定を行う（Ｓ２１２）。音声記録モードの場合は、マイクのスイッチをＯＮにして（Ｓ２１３）、マイクで記録されている音量を測定する（Ｓ２１５）。音声記録モードではない場合は、マイクのスイッチをＯＦＦにして（Ｓ２１４）、次にリモコンへ動作状態を送信（Ｓ２１０）する。
【００２２】
図７はリモコンに設けたの通知動作の詳細である。受信したデータは、コードを解析する（Ｓ３０１）。解析結果から、記録中の音量を判定（Ｓ３０２）して、音声記録中の音量が所定の量より小さい場合はＳ３０３へ分岐し、スピーカドライバの電源をＯＦＦ（Ｓ３０３）、モータドライバの電源をＯＮ（Ｓ３０４）、バイブレータで動作状態を通知する（Ｓ３０５）。記録音量を判定して、記録中の音声が所定の量より大きい場合は、スピーカドライバの電源をＯＮ（Ｓ３０６）にする。そして、記録音量から、テーブル参照などの手法で通知するスピーカの音量を設定（Ｓ３１０）し、音声にて動作を通知（Ｓ３０７）を行う。また、モータドライバの電源をＯＦＦ（Ｓ３０８）にして、バイブレータでの通知を禁止する。
【００２３】
【発明の効果】
本発明で、撮影の状態に応じてリモコンに設けた通知手段を自動的に切り替えることで、不要な音声が記録されず、撮影相違の状態が操作者へ通知でき、操作性の優れた記録装置の遠隔操作システムを提供することができた。
【図面の簡単な説明】
【図１】第一の実施例のブロック図
【図２】ＭＰＵ１の動作を示すフローチャート
【図３】ＭＰＵ２の動作を示すフローチャート
【図４】装置本体の通知動作を示すフローチャート
【図５】第二の実施例のブロック図
【図６】ＭＰＵ２の動作を示すフローチャート
【図７】装置本体の通知動作を示すフローチャート
【符号の説明】
１　　リモコン
２　　操作ボタン
３　　ＭＰＵ１
４　　送信ユニット１
５　　受信ユニット１
６　　スピーカドライバ
７　　スピーカ
８　　モータドライバ
９　　バイブレータ
１０　ＲＯＭ１
１１　撮影装置
１２　カメラユニット
１３　画像処理回路
１４　ＭＰＵ２
１５　マイクユニット
１６　マイクスイッチ
１７　カードコントローラ
１８　メモリカード
１９　音量検出器
２１　信ユニット２
２２　送信ユニット２
２３　ＲＯＭ２
３０　ピーカドライバ電源スイッチ
３１　モータドライバ電源スイッチ
【図１】
2004080559.tif 000003
【図２】
2004080559.tif 000004
【図３】
2004080559.tif 000005
【図４】
2004080559.tif 000006
【図５】
2004080559.tif 000007
【図６】
2004080559.tif 000008
【図７】
2004080559.tif 000009